(57)【特許請求の範囲】
【請求項１】
ボルトにナットを螺合した状態でナットを保持するナット保持具であって、該ナット保持具と前記ナットは相対回転不能であり、
前記ナット保持具は、ナットを挿入する挿入部と、少なくともナット周面の隣接しない二面以上と当接する当接部と、ナット保持状態でボルトのネジ先端部が突出するネジ先端貫通部と、ナット保持状態で吊持する紐状の吊持部と、ナットの前面及び背面と当接して軸線方向の抜け止めを行う一対の挟持面と、を備え、
該一対の挟持面の前面側に前記挿入部と連通するネジ貫通部が形成され、前記一対の挟持面の背面側に前記ネジ先端貫通部が形成されていることを特徴とするナット保持具。
【請求項２】
前記ネジ先端貫通部が前記挿入部と連通していることを特徴とする請求項１に記載のナット保持具。
【請求項３】
前記挿入部は、ナット周面の一部が露出するように形成され、前記挿入部から露出しているナット周面と当接する脱落防止部を備えていることを特徴とする請求項１または２に記載のナット保持具。
【請求項４】
前記脱落防止部は前記吊持部に設けられ、
前記吊持部によりナット保持状態で吊持されると、自重により前記脱落防止部が前記挿入部から露出しているナット周面に当接することを特徴とする請求項３に記載のナット保持具。
【発明の詳細な説明】
【技術分野】
【０００１】
本発明は、主として高所作業においてボルトまたはナットの落下を防止するためのナット保持具に関する。
【背景技術】
【０００２】
従来から、鉄塔等の構造物の組立作業や補修作業或いは電柱の装柱の着脱作業などのように、比較的高所で作業する場合には、ボルトやナット等の資材を落下させてしまうと、資材の損傷や遺失を招くうえ、落下場所に存在していた物品や等にも損傷を与えてしまう虞がある。
【０００３】
特に、鉄塔や電柱での高所作業では、素手による作業では感電防止対策として厚い絶縁手袋を着用して作業する場合が多いことから、ボルトやナットのような小さなものは把持し難く、作業中に過って取り落としてしまう可能性もある。
【０００４】
一般的に、このような高所作業では、作業現場周辺の資材落下想定範囲に作業区画を設定するが、その予定作業区画の範囲内に重量物等の動かし難い構造物があるなど、充分な作業区画を確保することができない場合もある。
【０００５】
このため、ボルトやナット等を作業中に落下し難くするために、クリップによりボルトのネジ部を挟持する落下防止具（例えば、特許文献１参照）が提案されている。
【０００６】
しかしながら、このようなボルトのネジ部を保持するクリップでは、ナットを保持することができず、充分な落下防止具とは言い難いという問題が生じていた。
【０００７】
そこで、弾性キャップ具によりボルト及びナットを別々に保持する落下防止具（例えば、特許文献２参照）が提案されている。
【先行技術文献】
【特許文献】
【０００８】
【特許文献１】特開２００９−０４１７４１号公報
【特許文献２】特開２００５−２８７１６８号公報
【発明の概要】
【発明が解決しようとする課題】
【０００９】
しかしながら、ボルト及びナットを独立して保持する弾性キャップ具では、必要な組数の倍の弾性キャップ具を必要とするばかりでなく、比較的厚肉で重いゴム等の弾性体でボルト及びナットを独立して保持していることと相俟って、作業者の持ち運びの負担が大きいといった問題が生じていた。
【００１０】
また、ボルト及びナットを独立して保持することから、複数組のボルト及びナットを保持して作業を行っていた際、特に、ナットは弾性キャップ具内に完全収納されていることから、目視し難く、使用済みの空キャップ具と使用前のキャップ具とを区別することができず、作業工数が増してしまうという問題が生じていた。
【００１１】
本発明は、上述のかかる事情に鑑みてなされたものであり、軽量で必要な組数で足りることができ、作業者の持ち運びや作業時の負担を軽減することができるナット保持具を提供することを目的とする。
【課題を解決するための手段】
【００１２】
上記課題を解決するため、本発明に係る保持具は、ボルトにナットを螺合した状態でナットを相対回転不能に保持するナット保持具であって、ナットを挿入する挿入部と、少なくともナット周面の隣接しない二面以上と当接する当接部と、ナット保持状態でボルトのネジ先端部が突出するネジ先端貫通部と、ナット保持状態で吊持する紐状の吊持部と、を備えていることを特徴とする。
【００１３】
本発明のナット保持具によれば、軽量で必要な組数で足りることができ、作業者の持ち運びや作業時の負担を軽減することができる。
【００１４】
また、本発明に係るナット保持具は、ナットの前面及び背面と当接して軸線方向の抜け止めを行う一対の挟持面を備え、該一対の挟持面の前面側に前記挿入部と連通するネジ貫通部が形成され、前記一対の挟持面の背面側に前記ネジ先端貫通部が形成されていることを特徴とする。
【００１５】
このような構成によれば、ナットの周面だけでなくナットの前面及び背面を支持することができ、ナットの落下防止効果を向上することができる。
【００１６】
好ましくは、ネジ先端貫通部を挿入部と連通させることにより、ボルトにナットを螺合した状態のままナットを挿入部から挿入することができる。
【００１７】
より好ましくは、ナット保持具に、挿入部から露出しているナット周面と当接する脱落防止部を備えることにより、ナットの落下防止効果をより一層向上することができる。
【００１８】
さらに、この脱落防止部を吊持部に設けることにより、ナットの露出周面に脱落防止部を当接させる専用作業を行うことなく、吊持部でナットを吊り下げるだけでナットの周面に脱落防止部を当接させることができる。
【発明の効果】
【００２３】
本発明のナット保持具によれば、軽量で必要な組数で足りることができ、作業者の持ち運びや作業時の負担を軽減することができる。
【図面の簡単な説明】
【００２４】
【図１】本発明の一実施形態に係る実施例１のナット保持具を示し、（Ａ）はナット保持前のナット保持具の斜視図、（Ｂ）はナット保持状態のナット保持具の斜視図、（Ｃ）はボルト保持状態のナット保持具の斜視図である。
【図２】本発明の一実施形態に係る実施例１の変形例によるナット保持具を示し、（Ａ）はナット保持前のナット保持具の斜視図、（Ｂ）はナット保持状態のナット保持具の斜視図である。
【図３】本発明の一実施形態に係る実施例２のナット保持具を示し、（Ａ）はナット保持前のナット保持具の斜視図、（Ｂ）は保持具の断面図である。
【図４】本発明の一実施形態に係る実施例２のナット保持具を示し、ナット保持状態のナット保持具の背面図である。
【図５】本発明の一実施形態に係る実施例２のナット保持具を示し、（Ａ）はナット保持例の第一例を示すナット保持具の側面図、（Ｂ）はナット保持例の第二例を示すナット保持具の側面図、（Ｃ）はナット保持例の第三例を示すナット保持具の側面図である。
【図６】本発明の一実施形態に係る実施例２における変形例のナット保持具を示し、ナット保持前のナット保持具の斜視図である。
【発明を実施するための形態】
【００２５】
次に、本発明の一実施形態に係るナット保持具について、図面を参照して説明する。尚、以下に示す実施例は本発明のナット保持具における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００２６】
［実施例１］
図１は、本発明の一実施形態に係る実施例１のナット保持具を示し、図１（Ａ）はナット保持前のナット保持具の斜視図、図１（Ｂ）はナット保持状態のナット保持具の斜視図、図１（Ｃ）はボルト保持状態のナット保持具の斜視図である。
【００２７】
（全体構成）
図１において、１はボルト、２はボルト１のネジ部、３はネジ部２に螺合されたナットである。
【００２８】
図１において、本発明の一実施形態に係るナット保持具１０は、ナット３を挿入保持する保持具１１と、保持具１１に設けられた紐状の吊持具１２と、を備え、ボルト１にナット３を螺合した状態でナット３を相対回転不能に保持する。
【００２９】
（保持具１１の構成）
保持具１１は、薄肉（例えば、０．２〜０．３ｍｍ）の金属（例えば、アルミや銅）又は樹脂（例えば、ポリプロピレンやポリエチレンテレフタレート）から一体に成形されており、ナット３を挿入する挿入部１３と、少なくともナット３の周面の隣接しない二面以上と当接する当接部１４と、を備えている。また、保持具１１は、ナット３の前面及び背面と当接して軸線方向の抜け止めを行う一対の挟持面１６，１７を備えている。この一対の挟持面１６，１７の前面側（図示ボルト１の頭部側）に配置された挟持面１６には、挿入部１３と連通するネジ貫通部１８が形成されている。また、一対の挟持面１６，１７の背面側（図示ネジ部２の先端側）に配置された挟持面１７には、ネジ先端貫通穴１５が形成されている。さらに、背面側の挟持面１７には吊持具１２の一端が接続される接続穴１９ａが形成された舌片１９が挿入部１３から離反する方向に突出形成されている。尚、挟持面１６，１７の少なくとも一方の内面には、例えば、図１（Ａ）に示すように、挿入部１３の開口付近に内側に突出する凸部１６ａを形成し、ナット３の脱落（図１（Ｂ）の場合）やボルト１の脱落（図１（Ｃ）の場合）を抑制することも可能である。
【００３０】
（吊持具１２の構成）
吊持具１２は、例えば、作業現場や作業目的等に応じた所定長さのビニール紐等を用いており、その種類や太さ等はボルト１やナット３の大きさ・重量を考慮して適宜変更可能である。また、吊持具１２は、一端を舌片１９の接続穴１９ａに接続し、その他端はループ状としたり別途のバックル（図示せず）等を用いて作業者のベルト等から吊り下げることができる。
【００３１】
（使用例）
このような構成においては、図１（Ａ）に示すように、先にナット３を挿入部１３から保持具１１の内部に挿入し、その隣接しない二面を当接部１４に当接させる。この際、ナット３の図示下方の角部は当接部１４の底壁に当接する。次に、図１（Ｂ）に示すように、ナット３の前面側（ネジ貫通部１８側）からボルト１のネジ部２を挿入し、ナット３にネジ部２を螺合する。この際、ネジ部２の先端部分が背面側の挟持面１７に十分な力で当接するまで螺合させることにより、しっかりとナット３を保持することができ、運搬時等にボルト１及びナット３が保持具１１から不測に脱落してしまうことを防止することができる。
【００３２】
また、吊持具１２により作業者のベルト（図示せず）等に吊り下げることにより、ナット３がボルト１と一緒に保持具１１に抜け止め状態で保持される。
【００３３】
そして、作業場において、ボルト・ナットの締結作業の際は、ボルト１をナット３から抜き、所定の締結穴へと挿入する。この際、ボルト１は比較的大きな長尺物であることから、例え、作業者が絶縁手袋をしていても、作業中に過って落下させてしまうことは少ない。
【００３４】
また、ナット３は、この状態では保持具１１に収納保持されたまま落下し難い状態となっている。
【００３５】
さらに、ナット３は、保持具１１に相対回転不能に収納保持したままネジ部２の先端部分を仮螺合させた後、保持具１１からナット３を抜き出して本螺合することにより、過って落下させてしまうことを抑制することができる。
【００３６】
また、ボルト・ナットの撤去作業の際は、被締結部（図示せず）に取り付けたボルト１と螺合状態のナット３を緩め、ナット３がネジ部２から離脱する直前でナット３を保持具１１に保持させた後に、ボルト１又はナット３の一方を回転させてナット３をネジ部２から離脱させ、被締結部からボルト１を離脱した後に再びナット３にボルト１を螺合する（図１（Ｂ））ことによって、使用済みのボルト１とナット３とを持ち歩くことも可能である。尚、図１（Ｃ）に示すように、ナット３ではなく、ボルト１の頭部を保持具１１に保持させても良い。
【００３７】
（変形例）
図２は、実施例１の変形例によるナット保持具を示し、図２（Ａ）はナット保持前のナット保持具の斜視図、図２（Ｂ）はナット保持状態のナット保持具の斜視図である。図１の構成に対して、ネジ先端貫通穴１５を追加している。その他の構成要素は図１と同様であり、同一要素には同一符号を付して説明を省略する。
【００３８】
このような構成においては、図２（Ｂ）に示すように、ナット３の前面側（ネジ貫通部１８側）からボルト１のネジ部２を挿入し、ナット３にネジ部２を螺合する。この際、ネジ部２の先端部分はネジ先端貫通穴１５から突出する程度にまで螺合させることにより、作業時にボルト１及びナット３が保持具１１から不測に脱落してしまうことを防止することができる。
【００３９】
［実施例２］
次に、本発明の一実施形態に係る実施例２のナット保持具について図３乃至図６を用いて説明する。
【００４０】
（全体構成）
図３及び図４において、ナット保持具２０は、ナット３を挿入保持する保持具２１と、保持具２１に設けられた紐状の吊持具２２と、を備え、ボルト１にナット３を螺合した状態でナット３を相対回転不能に保持する。
【００４１】
（保持具２１の構成）
保持具２１は、薄肉（例えば、０．２〜０．３ｍｍ）の金属（例えば、アルミや銅）又は樹脂（例えば、ポリプロピレンやポリエチレンテレフタレート）から一体に成形されており、ナット３を挿入する挿入部２３と、少なくともナット３の周面の隣接しない二面以上と当接する当接部２４と、ナット３を保持した状態でネジ部２の先端部分が突出するネジ先端貫通穴２５と、を備えている。また、保持具２１は、ナット３の前面及び背面と当接して軸線方向の抜け止めを行う一対の挟持面２６，２７を備えている。この一対の挟持面２６，２７には、挿入部２３と連通するネジ貫通部２８とネジ先端貫通穴２５とが形成されている。さらに、当接部２４の挿入部２３の一部を形成する開口端面には吊持具２２の中途部が貫通する貫通穴２９ａを形成した一対の舌片２９が挿入部２３から離反する方向に突出形成されている。尚、挟持面２６，２７の少なくとも一方の内面には、例えば、図３（Ａ），（Ｂ）に示すように、挿入部２３の開口付近に内側に突出する凸部２６ａを形成し、ナット３の脱落を抑制することも可能である。
【００４２】
（吊持具２２の構成）
吊持具２２は、例えば、作業現場や作業目的等に応じた所定長さのビニール紐等を用いており、その種類や太さ等はボルト１やナット３の大きさ・重量を考慮して適宜変更可能である。また、吊持具２２は、その中途部がループ状とされて挿入部２３の上方に位置するように貫通穴２９ａを貫通しており、その挿入部２３の上方に位置する中途部には軟質樹脂等の弾性変形可能な脱落防止チューブ３０が設けられている。さらに、この脱落防止チューブ３０と舌片２９を挟む中途部にはループ状とさらた吊持具２２の中途部を束ねる結束体３１が設けられている。尚、吊持具２２の両端は結んだ状態で別途のバックル（図示せず）等を用いて作業者のベルト等から吊り下げることができる。
【００４３】
（使用例）
このような構成においては、予めボルト１のネジ部２にナット３を螺合させておき、図３に示すように、ネジ部２の先端部分を含むナット３を挿入部２３から保持具２１の内部に挿入し、その隣接しない二面を当接部２４に当接させる。この際、ナット３の隣接しない二面、即ち、挿入部２３から露出する二面を除く四面を当接部２４に当接させることができる。
【００４４】
次に、ナット３の周面のうち挿入部２３から露出する二面（隣接する二面）に脱落防止チューブ３０が当接するように結束体３１で吊持具２２を絞り込む。
【００４５】
この際、結束体３１は、例えば、図５（Ａ）に示すように、ネジ部２の端面、図５（Ｂ）に示すように、ネジ部２の先端部分と挟持面２７とで形成される角部、図５（Ｃ）に示すように、保持具２１（当接部２４）の底壁部分、の何れかの位置とすることにより、ボルト１を保持した状態でのナット３と脱落防止チューブ３０との当接力を確保することができる。
【００４６】
そして、所定の作業場では、ボルト１をナット３から抜き、所定の締結穴へと挿入する。この際、ボルト１は比較的大きな長尺物であることから、例え、作業者が絶縁手袋をしていても、作業中に過って落下させてしまうことは少ない。
【００４７】
また、ナット３は、この状態では保持具２１に収納保持されたまま落下し難い状態となっている。
【００４８】
さらに、ナット３は、保持具２１に相対回転不能に収納保持したままネジ部２の先端部分が突出する程度にまで仮螺合させた後、保持具２１からナット３を抜き出して本螺合することにより、過って落下させてしまうことを抑制することができる。
【００４９】
このような構成によれば、ネジ先端貫通穴２５が挿入部２３と連通していることから、ボルト１にナット３を予め螺合させた状態で保持具２１にナット３を保持させることができる。また、挿入部２３から露出しているナット３の周面を脱落防止チューブ３０で押さえることにより、作業中にナット３が保持具２１から脱落してしまうことを抑制することができる。さらに、脱落防止チューブ３０は吊持具２２に設けられているため、例え、結束体３１が無くても、吊持具２２の端部でナット３を吊り下げれば、専用の当接作業を行うことなく自重によって脱落防止チューブ３０をナット３に当接させることができる。しかも、脱落防止チューブ３０は結束体３１によって吊持具２２を絞り込む（小径とする）ことにより、緊張状態でナット３に脱落防止チューブ３０を当接させることができる。
【００５０】
この際、脱落防止チューブ３０は弾性を備えていることから、ボルト１を引き抜いた後に吊持具２２に遊びが発生しても、脱落防止チューブ３０の復帰力によってある程度の緊張状態を維持したままナット３に脱落防止チューブ３０を当接させることができる。尚、ネジ部２の先端部分のナット３からの突出量は、作業中にボルト１がナット３から不測に脱落しない程度で良いことから、ナット３からボルト１を引き抜いても、上述した遊びはナット３が保持具２１から脱落してしまう程のストロークは確保され難くすることができる。
【００５１】
（応用例）
ところで、保持具２１は、例えば、図６に示すように、一つのボルト１に二つのナット３を螺合したダブルナット状態での収納保持も可能である。この際、保持具２１は、当接部２４の幅をバブルナット分に対応させれば良い。
【００６２】
（実施例効果）
このように、本発明のナット保持具１０，２０にあっては、ボルト１にナット３を螺合した状態でナット３を相対回転不能に保持するナット保持具であって、ナット３を挿入する挿入部１３，２３と、少なくともナット３の周面の隣接しない二面以上と当接する当接部１４，２４と、ナット保持状態でボルト１のネジ先端部が突出するネジ先端貫通部１５，２５と、ナット保持状態で吊持する紐状の吊持具１２，２２と、を備えていることにより、軽量で必要な組数で足りることができ、作業者の持ち運びや作業時の負担を軽減することができる。
【符号の説明】
【００６３】
１…ボルト
２…ネジ部
３…ナット
４…ワッシャ
１０，２０…ナット保持具
１１，２１…保持具
１２，２２…吊持具（吊持部）
１３，２３…挿入部
１４，２４…当接部
１５，２５…ネジ先端貫通部（ネジ先端貫通穴）
１６，１７，２６，２７…挟持面
１６ａ，２６ａ 凸部
１８，２８…ネジ貫通部
１９，２９…舌片
１９ａ…接続穴
２９ａ…貫通穴
３０…脱落防止チューブ
３１…結束体
【図１】
0005415474.tif 000002
【図２】
0005415474.tif 000003
【図３】
0005415474.tif 000004
【図４】
0005415474.tif 000005
【図５】
0005415474.tif 000006
【図６】
0005415474.tif 000007